(57)【要約】【課題】電装品箱の取付けが簡単な空気調和機の室外機を提供する。【解決手段】空気調和機の室外機は、室外機ケーシングと、この室外機ケーシング内の空間を熱交換室と機械室とに仕切る仕切板３７と、熱交換室に配置される熱交換器及びファンと、機械室に配置される電装品箱７０とを備える。電装品箱７０の前部には、仕切板３７の前部に係合する第１係合部７２が設けられ、電装品箱７０の後部には、熱交換器を支持する管板２７に係合する第２係合部７３が設けられている。仕切板３７の上端には、折り曲げで構成された屈曲部３７ｄが設けられている。電装品箱７０は、仕切板３７の屈曲部３７ｄ上に載置され、第１係合部７２と仕切板３７とが係合しかつ第２係合部７３と管板２７とが係合することにより仕切板３７及び管板２７に固定され、第１係合部７２及び第２係合部７３のうちの一方でねじ止めされる。【選択図】図３
2015117858.tif 000002
【特許請求の範囲】
【請求項１】
室外機ケーシング（３）と、この室外機ケーシング（３）内の空間を熱交換室（３Ａ）と機械室（３Ｂ）とに仕切る仕切板（３７）と、前記熱交換室（３Ａ）に配置される熱交換器（２１）及びファン（２２）と、前記機械室（３Ｂ）に配置される電装品箱（７０）とを備え、
前記電装品箱（７０）の前部には、前記仕切板（３７）の前部に係合する第１係合部（７２）が設けられ、前記電装品箱（７０）の後部には、前記熱交換器（２１）を支持する管板（２７）に係合する第２係合部（７３）が設けられ、
前記仕切板（３７）の上端には、折り曲げで構成された屈曲部（３７ｄ）が設けられ、
前記電装品箱（７０）は、前記仕切板（３７）の前記屈曲部（３７ｄ）上に載置され、前記第１係合部（７２）と前記仕切板（３７）とが係合しかつ前記第２係合部（７３）と前記管板（２７）とが係合することにより前記仕切板（３７）及び前記管板（２７）に固定され、前記第１係合部（７２）及び前記第２係合部（７３）のうちの一方でねじ止めされる
空気調和機の室外機。
【請求項２】
請求項１に記載の空気調和機の室外機（１）において、
前記第１係合部（７２）は貫通孔（７２ｂ）を有し、
前記電装品箱（７０）の前部と前記仕切板（３７）とは、前記第１係合部（７２）の貫通孔（７２ｂ）を介してねじ止めされている
空気調和機の室外機。
【請求項３】
請求項１または２に記載の空気調和機の室外機（１）において、
前記第２係合部（７３）は前記管板（２７）の上端に引っ掛ける爪である
空気調和機の室外機。
【請求項４】
請求項１〜３のいずれか一項に記載の空気調和機の室外機（１）において、
前記電装品箱（７０）には係合爪（７４）が設けられ、前記係合爪（７４）を介して前記電装品箱（７０）が前記仕切板（３７）の屈曲部（３７ｄ）に係合する
空気調和機の室外機。
【請求項５】
請求項１〜４のいずれか一項に記載の空気調和機の室外機（１）において、
前記電装品箱（７０）は、空気の流れ方向において前記熱交換器（２１）と重なる位置に配置され、
前記電装品箱（７０）と前記熱交換器（２１）との間には隙間が設けられている
空気調和機の室外機。
【発明の詳細な説明】
【技術分野】
【０００１】
本発明は、空気調和機の室外機にける電装品箱の取付け構造に関する。
【背景技術】
【０００２】
空気調和機の室外機は、室外機ケーシングと、この室外機ケーシングに収容される熱交換器、ファン、圧縮機、これらを制御する制御装置とを備えている。
室外機ケーシング内の空間は、熱交換器及びファンが配置される熱交換室と、圧縮機等が配置される機械室とに区分され、両室は仕切板によって仕切られている。
【０００３】
制御装置は、制御回路基板、センサー類等により構成される。制御回路基板は金属製または樹脂製のケースに収容される。ケースと制御回路基板とを含めたものは電装品箱と称呼される。この電装品箱は機械室に配置されるが、スペースの関係上、この機械室内において電装品箱は様々なところに配置される。例えば、特許文献１では、電装品箱が仕切板の上側に載置されている。
【先行技術文献】
【特許文献】
【０００４】
【特許文献１】特開２００７−８５６４９号公報
【発明の概要】
【発明が解決しようとする課題】
【０００５】
特許文献１に開示されている技術では、電装品箱を、仕切板及びファンモータ台に係合させているが、電装品箱の構造を簡略化してファンモータ台には係合させない構造のものがある。この構造の場合、電装品箱は主として仕切板によって支持される。このような構造の電装品箱は、複数個のねじで仕切板や室外機ケーシングにねじ止めされる。
【０００６】
ところで、この種の電装品箱は、ファンモータ台に載せないため、電装品箱の外形構造は簡単なものとなるが、取付け作業が比較的煩雑になっている。つまり、複数個のねじで電装品箱を仕切板や室外機ケーシングに取り付けている。このような取付け作業は面倒でかつ時間がかかる作業となっているため、取付け作業が簡単である室外機が要求されている。
【０００７】
本発明はこのような事情に鑑みてなされたものであり、その目的は、電装品箱の取付けが簡単な空気調和機の室外機を提供することにある。
【課題を解決するための手段】
【０００８】
課題を解決する空気調和機の室外機は、室外機ケーシングと、この室外機ケーシング内の空間を熱交換室と機械室とに仕切る仕切板と、前記熱交換室に配置される熱交換器及びファンと、前記機械室に配置される電装品箱とを備え、前記電装品箱の前部には、前記仕切板の前部に係合する第１係合部が設けられ、前記電装品箱の後部には、前記熱交換器を支持する管板に係合する第２係合部が設けられ、前記仕切板の上端には、折り曲げで構成された屈曲部が設けられ、前記電装品箱は、前記仕切板の前記屈曲部上に載置され、前記第１係合部と前記仕切板とが係合しかつ前記第２係合部と前記管板とが係合することにより前記仕切板及び前記管板に固定され、前記第１係合部及び前記第２係合部のうちの一方でねじ止めされる。
【０００９】
この構成によれば、電装品箱は、２か所の係合により室外機に取り付けられる。そして、２か所の係合のうちの一方でねじ止めされる。すなわち、ねじ止め箇所は１か所である。このため、電装品箱の取付け構造においてねじ止め箇所が複数個所ある従来の室外機に比べて、電装品箱の取付け作業が簡単である。
【００１０】
上記構成の空気調和機の室外機において、前記第１係合部は貫通孔を有し、前記電装品箱の前部と前記仕切板とは前記第１係合部の前記貫通孔を介してねじ止めされていることが好ましい。
【００１１】
この構成では、ねじ止め箇所が室外機の前側にある。このため、ねじ止め箇所が室外機の後ろ側にある構造に比べて、電装品箱の取付け作業が簡単である。よって、この構成によれば、さらに、電装品箱の取付け作業が効率化される。
【００１２】
上記構成の空気調和機の室外機において、前記第２係合部は前記管板の上端に引っ掛ける爪であることが好ましい。
この構成によれば、電装品箱の後部は、爪を管板の上端に引っ掛けることで、位置決めされる。このため、電装品箱の後部でねじ止めする構造に比べて、電装品箱の取付け作業が簡単である。
【００１３】
上記構成の空気調和機の室外機において、前記電装品箱には係合爪が設けられ、前記係合爪を介して前記電装品箱が前記仕切板の屈曲部に係合することが好ましい。
この構成によれば、電装品箱が載置される部分である仕切板の屈曲部において、電装品箱と屈曲部とが互いに係合する。このため、電装品箱の姿勢が安定し、振動や衝撃等によって生じる電装品箱の揺れが抑制されるようになる。
【００１４】
上記構成の空気調和機の室外機において、前記電装品箱は、空気の流れ方向において前記熱交換器と重なる位置に配置され、前記電装品箱と前記熱交換器との間には隙間が設けられていることが好ましい。
【００１５】
電装品箱を熱交換器と重なる位置に配置することによって、機械室のスペースを大きくすることができる。また、電装品箱の後板と熱交換器との間に隙間を設けているため、熱交換器において電装品箱が重なる部分に空気を流通させることができ、これによって、熱交換器の熱交換率の低下を抑制することができる。すなわち、この室外機は、構成要素が同じ室外機との比較において、室外機の能力の低下を抑制しつつ機械室の空間を大きくするものである。
【発明の効果】
【００１６】
上記空気調和機の室外機によれば、電装品箱の取付けが簡単である。
【図面の簡単な説明】
【００１７】
【図１】室外機の斜視図。
【図２】前板を外した室外機の正面図。
【図３】室外機において、電装品箱が配置されている部分の斜視図。
【図４】室外機において、電装品箱が配置されている部分の平面図。
【図５】室外機において、電装品箱が配置されている部分の拡大斜視図。
【図６】図３のＡ−Ａ線に沿う面で切断したものの斜視図。
【図７】図６のＢ部の拡大断面図。
【図８】第１係合部の変形例を示す斜視図。
【図９】第２係合部の変形例を示す斜視図。
【発明を実施するための形態】
【００１８】
図１及び図２を参照して、空気調和機の室外機１の一例を説明する。
図１は、室外機１の斜視図である。図２は、前板３３を外した状態の室外機１の正面図である。なお、以降では、室外機１の前板３３側を正面として説明する。そして、正面視において左手側を室外機１の左側というものとし、右手側を室外機１の右側というものとする。また、前板３３が配置されている側を「前」とし、その反対側を「後」とする。
【００１９】
室外機１は、室外機ケーシング３と、この室外機ケーシング３に収容される各種機器２とを備えている。
室外機１は、室外機ケーシング３に収容される各種機器２として、少なくとも、熱交換器２１、ファン２２と、圧縮機２３と、これら装置を制御する制御装置とを備える。制御装置は、制御回路基板２４（図２参照）、センサー等により構成される。このうち制御回路基板２４は、金属製または樹脂製のケース７１に収容される。なお、ケース７１及び制御回路基板２４（図２参照）を含めたものを「電装品箱７０」というものとする。
【００２０】
熱交換器２１は、室外機１の左面から後面に沿うように構成されている。すなわち、熱交換器２１は、室外機１の左側に配置される側面部２１ａと、室外機１の後側に配置される後面部２１ｂと、側面部２１ａと後面部２１ｂとの間をつなぐ曲面部２１ｃとを有する。ファン２２は、熱交換器２１の後面部２１ｂの前方に配置される。
【００２１】
熱交換器２１は、熱交換器２１の両端に取り付けられる管板２７，２８で支持されている。一方の管板２７は、熱交換器２１の後面部２１ｂの端（図１では右端）を支持する。他方の管板２８は、熱交換器２１の側面部２１ａの前端を支持する。
【００２２】
室外機１の後部に位置する管板２７は、熱交換器２１の端面に当接して伝熱管２１ｇが挿入される孔を有する主板２７ａ（図３参照）と、主板２７ａの端縁から略垂直に突出して熱交換器２１の前面２１ｓａに面するリブ２７ｂと、熱交換器２１の後面２１ｓｂに面するリブ２７ｃとを有する。
【００２３】
室外機ケーシング３は次の構成を有する。
室外機ケーシング３は、底板３１と、天板３２と、前板３３と、側板３５と、カバー３６とを備える。側板３５には、冷媒配管接続用の開口部、信号配線や電源配線を接続するための開口部が設けられている。
【００２４】
前板３３は、室外機ケーシング３の内部空間の前側及び左側を覆う。側板３５は、機械室３Ｂの右側を覆う。カバー３６は、側板３５に取り付けられるものであり、側板３５の開口部を覆う。
【００２５】
図２に示すように、室外機ケーシング３の内部空間は、仕切板３７及び電装品箱７０によって、熱交換器２１及びファン２２が配置される熱交換室３Ａと、圧縮機２３が配置される機械室３Ｂとに仕切られている。
【００２６】
仕切板３７は、板状の平板部３８と、平板部３８の後方から延びて湾曲する湾曲部３９（図３参照）とを有する。平板部３８の前端には、平板部３８に対して垂直に延びる前端リブ３７ａが設けられている。
【００２７】
仕切板３７は、熱交換室３Ａと機械室３Ｂとの間に配置され、底板３１に立設される。
仕切板３７の平板部３８は、室外機ケーシング３の左右方向において、熱交換器２１の後端部２１ｅ（後面部２１ｂの端部）が配置される位置よりもファン２２側寄りに配置されている。
【００２８】
仕切板３７の前端リブ３７ａは、室外機ケーシング３の前板３３が配置されるところの近傍に位置する。
仕切板３７の後端３７ｂ（湾曲部３９の後端。図３参照）は、熱交換器２１の後端部２１ｅ近傍に位置する。すなわち、仕切板３７の後端３７ｂは、熱交換器２１の後端部２１ｅを支持する管板２７（図３参照）近傍に位置する。
【００２９】
仕切板３７の上端３７ｃは、図２に示すように、仕切板３７の上方に電装品箱７０が配置可能なように、天板３２から離れたところに位置する。仕切板３７の上端３７ｃには、折り曲げにより形成された屈曲部３７ｄ（図１参照）が設けられている。屈曲部３７ｄは平板部３８から垂直に突出する。
【００３０】
屈曲部３７ｄには電装品箱７０が載置される。図３に示されるように、仕切板３７の平板部３８と電装品箱７０の底板７１ｄとが略平行となるように、電装品箱７０が仕切板３７の上に載置される。また、仕切板３７の平板部３８が、上記に説明したとおり、室外機ケーシング３の左右方向において熱交換器２１の後端部２１ｅよりもファン２２側に配置されるため、電装品箱７０の後板７１ｃは熱交換器２１の前面２１ｓａと重なる（図４参照）。
【００３１】
この構成において、電装品箱７０の後板７１ｃと熱交換器２１との間に隙間がない場合、熱交換器２１において電装品箱７０が重なっている部分に空気が流通しにくくなるため、室外機１の能力が低下する。そこで、熱交換器２１において電装品箱７０と重なる部分にも空気が流通するように、電装品箱７０の後板７１ｃと熱交換器２１の前面２１ｓａ（空気の流れ方向（前後方向）における前面）との間に隙間Ｓ（図４参照）を設けている。
【００３２】
図３を参照して、電装品箱７０の構造を説明する。
図３は、室外機１において電装品箱７０が配置されている部分の斜視図である。電装品箱７０は、上記したように制御回路基板２４と、ケース７１とを備える。
【００３３】
ケース７１は、制御回路基板２４を支持する底板７１ｄと、この底板７１ｄの両側からこの底板７１ｄに対して垂直に突出する第１及び第２側板７１ａ，７１ｂと、底板７１ｄの後端からこの底板７１ｄに対して垂直に突出する後板７１ｃとを有する。ここで、第１側板７１ａは、電装品箱７０が仕切板３７の上に載置されたときに、上方に配置される板であり、第２側板７１ｂは、電装品箱７０が仕切板３７の上に載置されたときに、下方に配置される板である。
【００３４】
制御回路基板２４は、コンデンサやパワートランジスタ等の部品が搭載された基板２６と、この基板２６の裏面に接着されるヒートシンク２５とを有する。ヒートシンク２５のフィン２５ｆは、ケース７１の底板７１ｄに形成された開口部を通じてケース７１の外側に配置されている。また、ヒートシンク２５のフィン２５ｆが、熱交換室３Ａ側に配置されるように電装品箱７０は仕切板３７の上に載置される。
【００３５】
次に、電装品箱７０の前部と仕切板３７との係合構造について説明する。
電装品箱７０における前部（前板３３側の部分）には、仕切板３７の前部に係合する第１係合部７２が設けられている。
【００３６】
第１係合部７２は、図３に示すように、第２側板７１ｂから垂直にかつ外方に突出する屈曲部７２ａと、この屈曲部７２ａに設けられた貫通孔７２ｂとを有する。貫通孔７２ｂは、ねじを挿通する孔であり、電装品箱７０を仕切板３７の上に載置したときに、仕切板３７のねじ孔と重なるように設けられている。この第１係合部７２を介して電装品箱７０の前部と仕切板３７の前部とが互いに係合する。
【００３７】
図４及び図５を参照して、電装品箱７０の後部と管板２７との係合構造について説明する。
図４は、室外機１において、電装品箱７０が配置されている部分の平面図である。図５は、この部分の拡大斜視図である。図４は、図１の矢印Ｙ方向から見た図である。図５に、この部分の拡大斜視図を示す。なお、図５では、伝熱管２１ｇの一部及び管板２７の孔構造についてその表示を省略している。
【００３８】
電装品箱７０における後部には、熱交換器２１を支持する管板２７の上端に係合する第２係合部７３が設けられている。
第２係合部７３は、第１側板７１ａから延長し、その途中においてこの第１側板７１ａに対して垂直かつ後板７１ｃ側に折れ曲がる爪として構成される。すなわち、第２係合部７３は、延長部７３ａと、この延長部７３ａから垂直に延びる垂下部７３ｂとを有する（図５参照）。
【００３９】
図４及び図５に示すように、第２係合部７３の垂下部７３ｂは熱交換器２１のフィン２１ｆと管板２７のリブ２７ｂとの間に挿入される。この構成により、次の作用がある。
電装品箱７０が右方向に移動すると、第２係合部７３の垂下部７３ｂが管板２７の主板２７ａに当接して、電装品箱７０が右方向に移動すること（電装品箱７０が機械室３Ｂ側に移動すること）が規制される。電装品箱７０が前後方向に移動すると、第２係合部７３の垂下部７３ｂが管板２７のリブ２７ｂまたは熱交換器２１のフィン２１ｆに当接して、電装品箱７０の前後方向の移動が規制される。したがって、この構成により、電装品箱７０の姿勢が安定する。
【００４０】
更に、図４及び図５に示すように、電装品箱７０は、管板２７の主板２７ａに当接する当接部７５を備えることが好ましい。
当接部７５は、電装品箱７０の後板７１ｃの端部を外方にかつ垂直に折り曲げて構成される屈曲部７５ａと、この屈曲部７５ａから突出する凸部７５ｂとを有する。屈曲部７５ａは、管板２７の主板２７ａの外面側に配置され、かつ凸部７５ｂはこの主板２７ａの外面に当接するように構成されている。これにより、電装品箱７０が左方向に移動すること（電装品箱７０がファン２２側に移動すること）が規制される。この構成により、電装品箱７０の姿勢が更に安定する。
【００４１】
図６及び図７を参照して、電装品箱７０と仕切板３７の上端部との係合構造について説明する。
電装品箱７０には、仕切板３７の上端部と係合する係合爪７４が設けられている。係合爪７４は、第２側板７１ｂの一部を切り出して、この切り出し部分を折り曲げることにより構成される爪である。
【００４２】
例えば、係合爪７４は、第２側板７１ｂから外方かつ垂直に延びる屈曲基部７４ａと、第２側板７１ｂと並行に延びる延長部７４ｂとを有する。延長部７４ｂと第２側板７１ｂとの間の間隔Ｄは、仕切板３７の屈曲部３７ｄが挿入可能な寸法に設定されている。延長部７４ｂの先端部７４ｃは下方に折り曲げられて、仕切板３７の屈曲部３７ｄが挿入しやすいように構成されている。
【００４３】
そして、電装品箱７０は、第２側板７１ｂと延長部７４ｂとの間の隙間に仕切板３７の屈曲部３７ｄの一部分を挿入した状態で、仕切板３７の上に載置される。すなわち、仕切板３７の屈曲部３７ｄは、その一部において電装品箱７０の係合爪７４に係合し、これ以外の部分において電装品箱７０の下側から支持する。
【００４４】
このような係合爪７４の作用を以下に説明する。
電装品箱７０は、その前部において第１係合部７２で仕切板３７に係合する。第１係合部７２において電装品箱７０をねじ止めするときトルクが加わるため、このトルクにより第１係合部７２を支点として電装品箱７０が回転または移動する。一方、電装品箱７０の第２側板７１ｂは仕切板３７の屈曲部３７ｄに当接しているため、その回転または移動が抑制される。係合爪７４は、このような電装品箱７０の回転または移動を更に抑制するように作用する。
【００４５】
具体的には、第１係合部７２におけるねじ止めのときに、電装品箱７０には正面視で右回りのトルクが加わる。そして、このトルクにより、電装品箱７０の回転または移動すると、係合爪７４の屈曲基部７４ａが仕切板３７の屈曲部３７ｄの先端に当接すし、これにより、この回転または移動が抑制される。また、この作用によって、第１係合部７２におけるねじ止め作業が円滑に行えるようになる。
【００４６】
以下、本実施形態に係る室外機１の効果を説明する。
（１）図３に示すように、室外機１の仕切板３７の上端３７ｃには、折り曲げで構成された屈曲部３７ｄが設けられている。一方、電装品箱７０において、その前部には、仕切板３７の前部に係合する第１係合部７２が設けられている。また、電装品箱７０の後部には、熱交換器２１を支持する管板２７に係合する第２係合部７３が設けられている。
【００４７】
そして、電装品箱７０は、仕切板３７の屈曲部３７ｄ上に載置され、第１係合部７２と仕切板３７とが係合しかつ第２係合部７３と管板２７とが係合することにより電装品箱７０が仕切板３７及び管板２７に固定され、かつ第１係合部７２においてねじ止めされている。なお、ねじ止め構造は、第１係合部７２に代えて、第２係合部７３において構成してもよい。
【００４８】
このような構成によれば、電装品箱７０は、２か所の係合により、室外機１に取り付けられる。そして、２か所の係合のうちの一方でねじ止めされる構成とされている。すなわち、ねじ止め箇所は１か所である。このため、電装品箱７０の取付け構造においてねじ止め箇所が複数個所ある従来の室外機に比べて、電装品箱７０の取付け作業が簡単である。
【００４９】
（２）上記第１係合部７２は貫通孔７２ｂを有し、電装品箱７０の前部と仕切板３７とは、第１係合部７２の貫通孔７２ｂを介してねじ止めされていることが好ましい。
この構成では、ねじ止め箇所が室外機１の前側にある。このため、ねじ止め箇所が室外機１の後ろ側にある構造に比べて、電装品箱７０の取付け作業が簡単である。よって、この構成によれば、さらに、電装品箱７０の取付け作業が効率化される。
【００５０】
（３）上記第２係合部７３は管板２７の上端に引っ掛ける爪であることが好ましい。
この構成によれば、電装品箱７０の後部は、爪を管板２７の上端に引っ掛けることで、位置決めされる。このため、電装品箱７０の後部でねじ止めする構造に比べて、電装品箱７０の取付け作業が簡単である。
【００５１】
（４）更に、電装品箱７０には係合爪７４が設けられ、この係合爪７４を介して電装品箱７０が仕切板３７の屈曲部３７ｄに係合することが好ましい。
この構成によれば、電装品箱７０が載置される部分である仕切板３７の屈曲部３７ｄにおいて、電装品箱７０と屈曲部３７ｄとが互いに係合する。このため、電装品箱７０の姿勢が安定し、振動や衝撃等によって生じる電装品箱７０の揺れが抑制されるようになる。
【００５２】
（５）また、上記実施形態に係る室外機１では、電装品箱７０が、空気の流れ方向（前後方向）において熱交換器２１と重なる位置に配置されているが、この構成において、電装品箱７０と熱交換器２１との間には隙間Ｓが設けられていることが好ましい。
【００５３】
電装品箱７０を熱交換器２１と重なる位置に配置することによって、機械室３Ｂのスペースを大きくすることができる。また、電装品箱７０の後板７１ｃと熱交換器２１との間に隙間Ｓを設けているため、熱交換器２１において電装品箱７０が重なる部分に空気を流通させることができ、これによって、熱交換器２１の熱交換率の低下を抑制することができる。すなわち、この室外機１は、構成要素が同じ室外機１との比較において、室外機１の能力の低下を抑制しつつ機械室３Ｂの空間を大きくするものである。
【００５４】
（他の実施形態）
なお、実施態様は上記に示した態様に限られるものではなく、これを例えば以下に示すように変更して実施することもできる。
【００５５】
・上記実施形態では、電装品箱７０の第２側板７１ｂの一部を折り曲げることにより第１係合部７２を構成しているが、第１係合部７２の構成はこの構成に限定されない。例えば、電装品箱７０の底板７１ｄに第１係合部７２を設けてもよい。
【００５６】
図７に、この変形例に係る第１係合部１７２を示す。
例えば、この場合、第１係合部１７２は、底板７１ｄから延長し仕切板３７の平板部３８に当接する延長部１７２ａと、この延長部１７２ａに設けられる貫通孔１７２ｂとから構成される。この構成の場合、ねじは、仕切板３７の平板部３８に対して垂直方向にねじ入れられる。
【００５７】
・上記実施形態では、電装品箱７０の後板７１ｃに、管板２７の主板２７ａに当接する当接部７５を設けているが、当接部７５の構成はこの構成に限定されない。例えば、第２係合部７３の構成である延長部７３ａに当接部７５を設けることもできる。
【００５８】
図８に、この変形例に係る第２係合部１７３を示す。
この変形例に係る第２係合部１７３は、第１側板７１ａから延びる延長部１７３ａと、管板２７のリブ２７ｂに係合する第１垂下部１７３ｂと、管板２７の主板２７ａに当接する第２垂下部１７３ｃとにより構成される。第１垂下部１７３ｂは、垂下部７３ｂと同様の構造を有する。第２垂下部１７３ｃは、第１垂下部１７３ｂと略平行に延びる。
【００５９】
この第２係合部１７３と管板２７とを係合させる場合には、第１垂下部１７３ｂと第２垂下部１７３ｃとの間に管板２７の主板２７ａを挿入する。これにより、電装品箱７０は前後方向及び左右方向の移動が規制される。このため、電装品箱７０の姿勢が安定する。
【００６０】
［付記］
実施形態及び他の実施形態には、上記に示した技術思想のほか、以下に示す技術思想が含まれる。
【００６１】
［付記１］
室外機ケーシング３と、この室外機ケーシング３内の空間を熱交換室３Ａと機械室３Ｂとに仕切る仕切板３７と、前記熱交換室３Ａに配置される熱交換器２１及びファン２２と、前記機械室３Ｂに配置される電装品箱７０とを備え、前記電装品箱７０の前部には、前記仕切板３７の前部に係合する第１係合部７２が設けられ、前記電装品箱７０の後部には、前記熱交換器２１を支持する管板２７に係合する第２係合部７３と、前記管板２７の主板２７ａの外面に当接する当接部７５とが設けられ、前記仕切板３７の上端には、折り曲げで構成された屈曲部３７ｄが設けられ、前記電装品箱７０は、前記仕切板３７の前記屈曲部３７ｄ上に載置され、前記第１係合部７２と前記仕切板３７とが係合しかつ前記第２係合部７３と前記管板２７とが係合することにより前記仕切板３７及び前記管板２７に固定され、前記第１係合部７２及び前記第２係合部７３のうちの一方でねじ止めされる空気調和機の室外機１。
【００６２】
この構成は、例えば、図５に示される構造を含むものである。電装品箱７０は、第１係合部７２及び第２係合部７３による２か所の係合で室外機１に取り付けられ、当接部７５で移動が規制される。また、２か所の係合のうちの一方でねじ止めされる構成とされている。すなわち、ねじ止め箇所は１か所である。このため、電装品箱７０の取付け構造においてねじ止め箇所が複数個所ある従来の室外機に比べて、電装品箱７０の取付け作業が簡単であり、更に、当接部７５によって電装品箱７０の移動が規制されるため、電装品箱７０の姿勢が安定する。
【００６３】
［付記２］
付記１において、当接部７５は、第２係合部１７３に設けられている空気調和機の室外機１。この構成は、図９に示される構造を含む。この構成によっても、上記付記１と同様の効果を奏する。
【００６４】
［付記３］
付記２において、第２係合部１７３は、第１垂下部１７３ｂと第２垂下部１７３ｃとを有し、第１垂下部１７３ｂと第２垂下部１７３ｃとの間に管板２７の主板２７ａが挿入されることにより、電装品箱７０の後部と管板２７とが互いに係合する空気調和機の室外機１。この構成は、図９に示される構造を含む。この構成によれば、上記付記１と同様の効果を奏する。
【符号の説明】
【００６５】
１…室外機、２…機器、３…室外機ケーシング、３Ａ…熱交換室、３Ｂ…機械室、２１…熱交換器、２１ａ…側面部、２１ｂ…後面部、２１ｃ…曲面部、２１ｅ…後端部、２１ｆ…フィン、２１ｇ…伝熱管、２１ｓａ…前面、２１ｓｂ…後面、２２…ファン、２３…圧縮機、２４…制御回路基板、２５…ヒートシンク、２５ｆ…フィン、２６…基板、２７，２８…管板、２７ａ…主板、２７ｂ，２７ｃ…リブ、３１…底板、３２…天板、３３…前板、３５…側板、３６…カバー、３７…仕切板、３７ａ…前端リブ、３７ｂ…後端、３７ｃ…上端、３７ｄ…屈曲部、３８…平板部、３９…湾曲部、７０…電装品箱、７１…ケース、７１ａ…第１側板、７１ｂ…第２側板、７１ｃ…後板、７１ｄ…底板、７２…第１係合部、７２ａ…屈曲部、７２ｂ…貫通孔、７３…第２係合部、７３ａ…延長部、７３ｂ…垂下部、７４…係合爪、７４ａ…屈曲基部、７４ｂ…延長部、７４ｃ…先端部、７５…当接部、７５ａ…屈曲部、７５ｂ…凸部、１７２…第１係合部、１７２ａ…延長部、１７２ｂ…貫通孔、１７３…第２係合部、１７３ａ…延長部、１７３ｂ…第１垂下部、１７３ｃ…第２垂下部。
【図１】
2015117858.tif 000003
【図２】
2015117858.tif 000004
【図３】
2015117858.tif 000005
【図４】
2015117858.tif 000006
【図５】
2015117858.tif 000007
【図６】
2015117858.tif 000008
【図７】
2015117858.tif 000009
【図８】
2015117858.tif 000010
【図９】
2015117858.tif 000011